(57)【特許請求の範囲】
【請求項１】
取付板を有する縦長の基枠体の該取付板に沿って、長尺の作動杆が摺動可能に配設され、該取付板と略直角にシリンダ取付部が設けられ、該シリンダ取付部にシリンダ錠がその錠軸を該基枠体内に挿入するように取り付けられ、該シリンダ錠の錠軸にカム部材が固定され、該作動杆には該カム部材の回動時に係合する係合部が設けられ、溝状のロック凹部を有するラッチ部材が該基枠体の上部と下部に、前扉の閉鎖時、筐体側の受け具の係止部を受け入れて拘束するように回動可能に軸支され、該基枠体がゲーム機の前扉の内側に取り付けられ、ゲーム機の筐体の内側に該受け具が取り付けられるゲーム機の施錠装置において、
該ラッチ部材を解錠側に付勢するばね部材が設けられ、
該ラッチ部材の一部にラッチ歯部が設けられるとともに、該ラッチ部材に隣接して摺動係止部材が該基枠体内に摺動可能に配設され、
該摺動係止部材には該ラッチ歯部と噛合する係止歯部が設けられるとともに、該摺動係止部材を該ラッチ部材側に付勢するばね部材が設けられ、
該ラッチ部材は、該前扉が閉鎖される際、該ラッチ歯部を該係止歯部に対し摺動係合させながら、施錠方向へ回動し、該前扉の閉鎖完了時、該係止歯部が該ラッチ歯部に噛合係止されて施錠されることを特徴とするゲーム機の施錠装置。
【請求項２】
前記作動杆には、前記摺動係止部材と係合する係合部が設けられ、該作動杆が前記カム部材の回動に応じて摺動したとき、該摺動係止部材が前記ばね部材のばね力に抗して該ラッチ部材から離れる方向に摺動し、前記ラッチ歯部と前記係止歯部との噛合が外れ、該ラッチ部材がばね力により解錠方向に回動することを特徴とする請求項１記載のゲーム機の施錠装置。
【請求項３】
前記基枠体内にラッチユニットが取り付けられ、該ラッチユニットのラッチケース内には、前記ラッチ部材が回動可能に軸支されるとともに、前記摺動係止部材が摺動可能に配設され、且つ前記ばね部材が配設されたことを特徴とする請求項１記載のゲーム機の施錠装置。
【請求項４】
前記ラッチ部材には前記ラッチ歯部に隣接して凸状円弧部が設けられ、該凸状円弧部と係合する凹状円弧部が前記摺動係止部材に設けられ、前記前扉の閉鎖回動初期には該凸状円弧部が該凹状円弧部と摺動して回動し、閉鎖回動後期には該ラッチ歯部が該係止歯部と噛合することを特徴とする請求項１記載のゲーム機の施錠装置。
【請求項５】
前記摺動係止部材の係止歯部は、該摺動係止部材の摺動方向と略平行な歯状摺動面を有していることを特徴とする請求項４記載のゲーム機の施錠装置。
【請求項６】
前記基枠体に支持板が設けられ、該支持板の内側に前記作動杆及び前記ラッチユニットが取り付けられ、該作動杆及びラッチユニットを覆って第１カバーが取り付けられ、該第１カバーの上部と下部には前記前扉の閉鎖時に前記受け具の係止部を進入させるための開口部が形成され、さらに前記シリンダ取付部の内側には第２カバーが前記カム部材の周囲を覆って取り付けられたことを特徴とする請求項３記載のゲーム機の施錠装置。
【発明の詳細な説明】
【技術分野】
【０００１】
本発明は、スロットマシンなどのゲーム機の前扉を筐体に対し施錠するゲーム機の施錠装置に関し、特に、前扉を隙間なく閉じてガタツキなく施錠することができるゲーム機の施錠装置に関する。
【背景技術】
【０００２】
従来、スロットマシンなどゲーム機の施錠装置として、基枠体の内側に作動杆が摺動可能に配設され、基枠体の支持板の上部と下部に鉤部材が、作動杆に連結されて傾動可能に枢支され、基枠体の取付板の中間部に、シリンダ錠がその錠軸を取付板に設けた孔から内側に差し込むように固定され、錠軸の先端に作動杆と係合するカム部材が取り付けられた構成の施錠装置が使用されている。
【０００３】
この種のゲーム機用施錠装置は、構造が強固で、施錠・解錠動作も確実に行うことができるものの、構造上、前面枠の内側に取付けられた施錠装置の鉤部材が前面枠の内側から突出する。このため、前面枠のアッセンブリーを梱包して搬送する場合、その梱包が難しく、突出した鉤部材が搬送中に他の部分に当たって傷つく等の問題があった。
【０００４】
そこで、本発明者らは、従来、前面枠の内側から突出する部分がなく、前面枠を本体枠に対し、円滑且つ確実に施錠・解錠することができるゲーム機の施錠装置を提案した（下記の特許文献１を参照）。
【先行技術文献】
【特許文献】
【０００５】
【特許文献１】特開２００４−１０５４１７号公報
【発明の概要】
【発明が解決しようとする課題】
【０００６】
この施錠装置は、取付板と支持板とを有する基枠体の内側に長尺の作動杆が摺動可能に配設され、取付板の中間部にシリンダ錠が固定され、シリンダ錠の錠軸にカム部材が作動杆に係合可能に取り付けられ、基枠体の取付板が前面枠の内側に取り付けられ、本体枠の内側に受け具が取り付けられる。基枠体の支持板の上部と下部に受け具の進入を許容する開口凹部が形成され、開口凹部内の受け具を拘束する溝状のラッチ凹部を有する略半円形状のラッチ部材が上部と下部の開口凹部の近傍に各々回動可能に枢支される。
【０００７】
ラッチ部材には係止ピンが移動可能に取り付けられ、支持板に係止ピンの先端が係合しガイドされるガイド係止孔がロック部を有して形成され、作動杆にはその移動時にラッチ部材の係止ピンに係合してロック部によるロックを外すように動作する作動係合部が設けられ、ラッチ部材を解錠側に付勢するばね部材が内蔵される。
【０００８】
この施錠装置は、前面枠を閉じて施錠操作を行なったとき、上部と下部のラッチ部材のラッチ凹部に受け具の係止部が嵌入し、その係止部に押されてラッチ部材がラッチ位置に回動した時、ラッチ部材の係止ピンがガイド係止孔からロック部に移動し、ラッチ部材をラッチ位置にロックして施錠する。一方、解錠時にはシリンダ錠の操作によりカム部材を介して作動杆が移動すると、作動杆の作動係合部がロック部によるラッチ部材のロックを外すように動作し、ラッチ部材がばね部材の付勢力により解錠側に回動し、解錠する。
【０００９】
ところで、施錠装置は、通常、多くの金属板部品や合成樹脂部品を組み付けて製造されるが、各部品には製品ごとに、寸法公差内の誤差つまり寸法のバラツキが生じており、使用時に施錠装置が取り付けられる前扉の取付位置、或いは受け具が取り付けられる筐体側の受け具の取付位置にも、公差内の誤差が生じている。
【００１０】
このため、施錠装置がゲーム機に取り付けられ使用される際、受け具やラッチ部材の寸法誤差、取付位置の誤差、筐体や前扉の寸法誤差などにより、前扉が筐体に対し閉じられ、ラッチ部材が受け具に係合し係止され、ラッチ部材がラッチ位置まで回動してロック状態になったとき、完全に前扉が閉鎖状態とならず、若干のガタツキや前扉と筐体間の隙間を発生させる課題があった。
【００１１】
本発明は、上記の点に鑑みなされたもので、部品寸法のバラツキなどに関らず、筐体に対し前扉をガタツキや隙間なく閉鎖して施錠することができるゲーム機の施錠装置を提供することを目的とする。
【課題を解決するための手段】
【００１２】
上記目的を達成するために、本発明のゲーム機の施錠装置は、
取付板を有する縦長の基枠体の該取付板に沿って、長尺の作動杆が摺動可能に配設され、該取付板と略直角にシリンダ取付部が設けられ、該シリンダ取付部にシリンダ錠がその錠軸を該基枠体内に挿入するように取り付けられ、該シリンダ錠の錠軸にカム部材が固定され、該作動杆には該カム部材の回動時に係合する係合部が設けられ、溝状のロック凹部を有するラッチ部材が該基枠体の上部と下部に、前扉の閉鎖時、筐体側の受け具の係止部を受け入れて拘束するように回動可能に軸支され、該基枠体がゲーム機の前扉の内側に取り付けられ、ゲーム機の筐体の内側に該受け具が取り付けられるゲーム機の施錠装置において、
該ラッチ部材を解錠側に付勢するばね部材が設けられ、
該ラッチ部材の一部にラッチ歯部が設けられるとともに、該ラッチ部材の歯部に隣接して摺動係止部材が該基枠体内に摺動可能に配設され、
該摺動係止部材には該ラッチ歯部と噛合する係止歯部が設けられるとともに、該摺動係止部材を該ラッチ部材側に付勢するばね部材が設けられ、
該ラッチ部材は、前扉が閉鎖される際、該ラッチ歯部を該係止歯部に対し摺動係合させながら、施錠方向へ回動し、前扉の閉鎖完了時、該係止歯部が該ラッチ歯部に噛合係止されて施錠されることを特徴とする。
【００１３】
この発明の施錠装置によれば、ゲーム機の筐体に対し前扉を閉鎖する際、受け具がラッチ部材のロック凹部に進入し、ラッチ歯部を係止歯部に対し摺動係合させながら、ラッチ部材がばね部材のばね力に抗して施錠方向へ回動し、前扉の閉鎖完了時、係止歯部がラッチ歯部に噛合係止されて施錠されるので、筐体に対し前扉をガタツキや隙間なく閉鎖して施錠することができる。このため、受け具やラッチ部材に寸法公差内の誤差、取付位置の誤差、筐体や前扉の寸法誤差など、製品ごとの寸法のバラツキがあっても、前扉の閉鎖時、ラッチ部材がラッチ位置まで回動してロック状態になったとき、完全に前扉が閉鎖状態となり、前扉をガタツキや隙間なく閉鎖して施錠することができる。
【００１４】
ここで、上記作動杆には、上記摺動係止部材と係合する係合部が設けられ、該作動杆が上記カム部材の回動に応じて摺動したとき、該摺動係止部材が上記ばね部材のばね力に抗して該ラッチ部材から離れる方向に摺動し、上記ラッチ歯部と上記係止歯部との噛合が外れ、該ラッチ部材がばね力により解錠方向に回動するように構成することができる。
【００１５】
またここで、上記基枠体内にラッチユニットが取り付けられ、該ラッチユニットのラッチケース内に、上記ラッチ部材が回動可能に軸支されるとともに、上記摺動係止部材が摺動可能に配設され、且つ上記ばね部材が配設されるように構成することができる。これによれば、ラッチ部材、摺動係止部材、ばね部材をラッチユニットのラッチケース内でユニット化して製造することができ、施錠装置の製造時の組立作業時、基枠体内にラッチ部材などの小部品を簡単に効率良く組み付け、組み付け作業の効率化を図ることができる。
【００１６】
またここで、上記ラッチ部材には上記ラッチ歯部に隣接して凸状円弧部が設けられ、該凸状円弧部と係合する凹状円弧部が上記摺動係止部材に設けられ、前扉の閉鎖回動初期には該凸状円弧部が該凹状円弧部と摺動して回動し、閉鎖回動後期には該ラッチ歯部が該係止歯部と噛合するように構成することが好ましい。これによれば、前扉の閉鎖時、前扉を閉じながらガタツキや隙間なく円滑に施錠することができる。
【００１７】
またここで、上記摺動係止部材の係止歯部は、該摺動係止部材の摺動方向と略平行な歯状摺動面を有して構成することが好ましい。これによれば、前扉の閉鎖時、ラッチ部材の閉鎖回動後期には、該係止歯部の歯状摺動面がラッチ部材のラッチ歯部の歯面上を良好に摺動し、ラッチ部材の閉鎖方向への回動とともに摺動係止部材を施錠ロック側に良好に摺動させ、閉鎖完了時には確実にラッチ部材を施錠ロックすることができる。
【００１８】
ここで、上記施錠装置において、上記基枠体に支持板が設けられ、該支持板の内側に上記作動杆及び上記ラッチユニットが取り付けられ、該作動杆及びラッチユニットを覆って第１カバーが取り付けられ、該第１カバーの上部と下部には前扉の閉鎖時に受け具の係止部を進入させるための開口部が形成され、さらに前記シリンダ取付部の内側には、前記カム部材の周囲を覆って第２カバーを取り付けるように構成することができる。
【００１９】
これによれば、第１カバー及び第２カバーにより、基枠体の支持板内側の、作動杆、ラッチ部材、カム部材が覆われるため、針金などの不正器具を差し込んで行う不正解錠を防止することができ、且つ背面側にラッチ部材などが突出しないので、ゲーム機の前扉を開いて保守点検などを行なう際、内側の突出部に干渉せずに、作業を容易に行うことができる。
【発明の効果】
【００２０】
本発明のゲーム機の施錠装置によれば、製品ごとの部品寸法のバラツキなどに関らず、筐体に対し前扉をガタツキや隙間なく閉鎖して施錠することができる。
【図面の簡単な説明】
【００２１】
【図１】本発明の一実施形態を示すゲーム機の施錠装置の正面図である。
【図２】同施錠装置の左側面図である。
【図３】同施錠装置の右側面図である。
【図４】同施錠装置の背面図である。
【図５】同施錠装置の平面図である。
【図６】図１のVI-VI拡大断面図である。
【図７】同施錠装置の左前から見た斜視図である。
【図８】第２カバーを外した状態の斜め後から見た斜視図である。
【図９】第１カバー、第２カバーを外した状態の斜め後から見た斜視図である。
【図１０】第１カバー、第２カバーを外した状態の左側面図である。
【図１１】施錠装置の分解斜視図である。
【図１２】ラッチユニットの左側面図である。
【図１３】同ラッチユニットの分解斜視図である。
【図１４】（ａ）は解錠時のラッチ部材と摺動係止部材の関係説明図、（ｂ）は施錠時のラッチ部材と摺動係止部材の関係説明図、（ｃ）はラッチ部材と摺動係止部材の位置関係説明図である。
【図１５】施錠装置と受け具の左側面図である。
【図１６】施錠装置と受け具の斜め背面から見た斜視図である。
【図１７】使用状態を示す断面説明図である。
【図１８】施錠時のラッチ部材の動きを示す説明図である。
【発明を実施するための形態】
【００２２】
以下、本発明の実施例を図面に基づいて説明する。図に示す施錠装置は、スロットマシン等のゲーム機の前扉４１を、筐体４０に対し施錠する施錠装置であり、取付板２と支持板３を有した縦長の基枠体１が、施錠装置の基体フレームとし配設される。基枠体１は、図６の断面図に示すように、横断面を略コ字状（チャンネル状）として形成され、その正面が取付板２となり、取付板２の一方に支持板３が背面側に延設され、取付板２と支持板３が縦に連続して縦長形状となっている。
【００２３】
基枠体１内の支持板３の上部と下部には、各々、図９に示すように、背面側から受け具４２の係止部４３を受け入れてロックするラッチユニット１０が取り付けられる。ラッチユニット１０内には、ラッチ部材５、ばね部材１２、摺動係止部材１３、及びばね部材１５が、薄型のラッチケース１１内にユニット化されて組み付けられる。ラッチケース１１内のラッチ部材５は、回動軸１４を介して回動可能に軸支され、金属で板状に形成されたラッチ部材５には、ロック凹部６が設けられる。施錠時、ラッチ部材５は、そのロック凹部６に受け具４２の係止部４３を進入させて回動し、図１８に示すように、係止部４３がロック凹部６内に拘束されて施錠される構造である。
【００２４】
図１２，１３に示す如く、ラッチユニット１０のラッチケース１１は、薄い長方形の板状に形成され、内側に設けた凹部内にラッチ部材５が回動軸１４により所定の角度範囲内で回動可能に軸支される。回動軸１４にはトーションバネなどからなるばね部材１２が、ラッチ部材５を解錠方向（図１２の反時計方向）に付勢して装着される。また、ラッチ部材５には突起５ｃが設けられ、この突起５ｃがラッチケース１１に形成される円弧状のガイド溝１１ｂと係合し、ラッチ部材５の回動時、その回動範囲が設定され且つ回動がガイドされるようになっている。
【００２５】
さらに、図１２，１４に示す如く、ラッチ部材５の下部に凸状円弧部５ａが設けられ、その凸状円弧部５ａの近傍（右上）にラッチ歯部５ｂが設けられる。一方、ラッチケース１１側には、ラッチ部材５の下部の回動をガイド部１１ｃが設けられ、ラッチ部材５の外れを防止し回動をガイドする。ラッチケース１１には、筐体側の受け具４２の係止部４３を進入させる溝状の開口部１１ａが設けられる。この開口部１１ａの位置は、ラッチ部材５のロック凹部６に対応した位置となり、前扉の閉鎖時、受け具４２の係止部４３が、開口部１１ａに進入するとともに、ラッチ部材５のロック凹部６に進入してラッチ部材５を図１２の時計方向に回動させ、ロック凹部６内に係止部４３を拘束してロックする構造である。
【００２６】
このために、ラッチケース１１内には、ロック位置に回動したラッチ部材５をロックする摺動係止部材１３が、ラッチ部材５に向けて前進・後退摺動（上下摺動）を行うように配設される。この摺動係止部材１３には、その下部に突設した掛止部１５ａとケース間にばね部材（例えばコイルばね）１２が装着され、ばね部材１２の付勢力により摺動係止部材１３は上側（ラッチ部材側）、つまり摺動係止部材１３の上部がラッチ部材５を押圧する方向に付勢している。ラッチケース１１内の両側部にガイド部１１ｄが設けられ、摺動係止部材１３は、その両側縁部に設けたガイド凸部１３ｅがガイド部１１ｄに係合し、摺動可能にガイドされる。
【００２７】
上記のように、ラッチ部材５の下部に凸状円弧部５ａが設けられる一方、図１２に示す如く、摺動係止部材１３の上部には、その凸状円弧部５ａと係合する凹状円弧部１３ａが設けられる。これにより、図１８に示す如く、ラッチ部材５が、解錠状態から前扉４１の閉鎖初期状態において回動する時、摺動係止部材１３と係合し、それらの円弧部が相互に摺動するようになっている。また、上記のように、ラッチ部材５の凸状円弧部５ａの近傍（図１２の右側）にラッチ歯部５ｂが設けられる一方、摺動係止部材１３の凹状円弧部１３ａの近傍（図１２の左下）には、係止歯部１３ｂが設けられる。これにより、図１８に示す如く、前扉４１の閉鎖中期の回動時に、係止歯部１３ｂとラッチ歯部５ｂとの噛合が開始され、閉鎖完了時までその噛合が継続されるようになっている。
【００２８】
そして、ラッチ部材５の下部のラッチ歯部５ｂは、ラッチ部材５の施錠回動時の反回動側（図１２の右側）に設けられ、摺動係止部材１３の上部の係止歯部１３ｂはその反対側（図１２の左側）に設けられ、ラッチ部材５の施錠回動時にラッチ歯部５ｂと係止歯部１３ｂが噛合する構造である。また、図１４ｃに示すように、係止歯部１３ｂの各歯は、その摺動上下方向線Ｌと略平行な歯状摺動面１３ｃを有し、ラッチ部材５のラッチ歯部５ｂの各歯は同様な歯状摺動面５ｄを有し、相互に噛合時、摺動可能となっている。
【００２９】
図１４ｂに示すように、ラッチ歯部５ｂと係止歯部１３ｂは、各々階段状に形成され、このために、上側のラッチ歯部５ｂは斜め下側に角度θだけ傾斜したラインに沿って形成され、下側の摺動係止部材１３の係止歯部１３ｂは、上側に角度θだけ傾斜したラインに沿って形成される。これにより、図１４ｂに示す如く、ラッチ歯部５ｂと係止歯部１３ｂは、噛合時、係止歯部１３ｂの歯状摺動面１３ｃとラッチ歯部５ｂの歯状摺動面５ｄとが良好に接触し、ラッチ部材５の施錠回動時にラッチ歯部５ｂが図１２の時計方向に回動する際、その回動に応じて、ばね部材１５により摺動係止部材１３が上方に付勢されることにより、係止歯部１３ｂの歯状摺動面１３ｃがラッチ歯部５ｂの歯状摺動面５ｄ上で摺動可能であり、摺動係止部材１３が段階的に上方に移動する構造となっている。
【００３０】
またこれにより、閉鎖時のラッチ部材５の回動とともに、ラッチ歯部５ｂと係止歯部１３ｂの噛合位置が上方に順に進む際、閉鎖方向に回動するラッチ部材５の戻り回動をロックし、前扉４１のつまりラッチ部材５の閉鎖側への回動動作に応じて、ガタツキなくラッチ部材５を摺動係止部材１３により係止しロックするようになっている。
【００３１】
上記のように、ラッチユニット１０は、そのラッチケース１１内には、ラッチ部材５が回動軸１４を介して回動可能に軸支され、そのラッチ歯部５ｂに隣接して（図１２の下側に）摺動係止部材１３が摺動可能に配設され、摺動係止部材１３にはラッチ歯部５ｂと噛合する係止歯部１３ｂが設けられる。さらに、ラッチケース１１内には、ラッチ部材５を解錠方向に付勢するばね部材１２が設けられ、摺動係止部材１３をラッチ部材５側（上方）に付勢するばね部材１５が設けられる。
【００３２】
このため、ラッチユニット１０のラッチケース１１内に、小部品のラッチ部材５、ばね部材１２、摺動係止部材１３、ばね部材１５を予め組み立てておけば、施錠装置全体の製造組立時、基枠体１の上部と下部の所定位置に、同じラッチユニット１０を取り付けるだけの簡単な作業により、施錠装置を非常に効率良く組み立てることができる。また、ラッチユニット１０を他の施錠装置においても共通部品として使用することができ、それにより、製造コストを低減することができる。
【００３３】
さらに、ラッチユニット１０は、ラッチケース１１内に、回動軸１４を介してラッチ部材５を回動可能に軸支し、ラッチ歯部５ｂに隣接して摺動係止部材１３を摺動可能に配設し、ラッチ部材５を解錠方向に付勢するばね部材１２と、摺動係止部材１３をラッチ部材５側に付勢するばね部材１５と設けて構成されるので、薄型のラッチケース１１内に全ての部材を収納することができ、ラッチユニット１０を非常に薄型に形成することができる。このため、施錠装置の主要部を薄型に形成し、ゲーム機の狭いスペースにも、施錠装置を取り付けることができる。
【００３４】
上記構成のラッチユニット１０は、基枠体１の支持板３内側の上部と下部の内側に、図９などに示す如く、縦に配設され、固定ネジ２６及び回動軸１４を兼用とした固定ネジで固定される。各ラッチユニット１０のラッチケース１１の開口部１１ａとラッチ部材５のロック凹部６に対応して基枠体１の支持板３には、受け具４２の軸状の係止部４３を進入させるために、図３に示すように、溝状の開口部３ａが形成される。また、図９〜図１１に示すように、基枠体１の内側を覆う第１カバー９の上部と下部にも、溝状の開口部９ａが設けられ、前扉の閉鎖時、受け具４２の係止部４３をラッチ部材５のロック凹部６に進入させる。
【００３５】
さらに、基枠体１の支持板３の内側には、ラッチユニット１０の各ラッチ部材５のロック、アンロックを行なうために、図９〜図１１に示す如く、基枠体１の内側に、長尺の作動杆４がその長手方向に摺動可能に配設される。作動杆４の上部及び下部には係合部４ａがラッチユニット１０内の摺動係止部材１３に対応して設けられ、この上下の係合部４ａは、摺動係止部材１３の係合部１３ｄと係合する。また、作動杆４の中間部下寄りには、カム部材８と係合可能な係合部４ｂが折り曲げ部に形成される。
【００３６】
図９に示すように、基枠体１内で、作動杆４の係合部４ｂは、シリンダ取付部１７の内側に位置し、シリンダ錠７の錠軸７ａに固定されたカム部材８の係合凸部８ａがその回動時に、係合部４ｂと係合し、シリンダ錠７の解錠操作時、カム部材８の回動により、係合部４ｂを介して作動杆４が下方に摺動する。これにより、上下のラッチ部材５がアンロックされ、ばね部材１２の付勢力により解錠方向に回動し、解錠が行われる。
【００３７】
このシリンダ錠７は、図９〜図１１に示すように、シリンダ取付部１７に、錠軸７ａを内側に挿入するように取り付けられる。シリンダ取付部１７は、基枠体１の取付板２の中間部に、その左側に突出して固定される。シリンダ取付部１７には、大径孔が設けられ、シリンダ錠７は、そのフランジ７ｂを内側に当接されるように挿入され、その錠軸７ａを基枠体１の内側に入れる状態で、取り付けられる。
【００３８】
シリンダ錠７の錠軸７ａにはカム部材８が固定される。カム部材８には、図９、１１に示すように、係合凸部８ａが設けられ、作動杆４の中間部に、カム部材８の回動時、係合凸部８ａと係合する係合部４ｂが設けられる。シリンダ取付部１７の内側（背面側）には、第２カバー１９が、カム部材８とその係合部を覆うように取り付けられる。また、基枠体１の支持板３の下部に突設した部分に、支持ローラ１６が軸支され、図１５に示すように、前扉４１を閉じるとき、支持ローラ１６が受け具４２の滑り板４５上を支持されながら転動する。
【００３９】
シリンダ錠７とカム部材８は、施錠装置の施錠状態において、シリンダ錠７に差し込んだキーを右に回せば、同方向にカム部材８が回動し、係合凸部８ａが係合部４ｂに係合して作動杆４を押し下げ、これにより、係合部４ａを介して、上下のラッチユニット１０内の摺動係止部材１３を下降させる。このとき、図１２に示すように施錠状態にあるラッチユニット１０は、摺動係止部材１３の下降によって、ラッチ部材５のロックが外れ、ばね部材１２のばね力で図１２の反時計方向に回動し、解錠動作を行うこととなる。
【００４０】
図３に示すように、基枠体１の右側面は、支持板３によって、基枠体１内が覆われて隠されるため、ラッチユニット１０や作動杆４が露出しないが、図９に示すように、基枠体１の左側面は、ラッチユニット１０や作動杆４が露出する。このため、ラッチユニット１０や作動杆４を覆って露出を防止するために、図７〜図１１に示す如く、基枠体１の支持板３の内側（施錠装置の左側面）に、第１カバー９が、上下のラッチユニット１０、作動杆４を覆うように取り付けられる。
【００４１】
第１カバー９は、縦長長方形状に形成され、固定ネジで固定され、第１カバー９の上部と下部位置に、上下のラッチユニット１０のラッチ部材５及び支持板３の開口部３ａに対応して、開口部９ａが設けられ、前扉４１を閉じたとき、受け具４２の係止部４３が開口部３ａ、９ａに進入し、施錠される構造である。さらに、上記のように、シリンダ取付部１７には、その内側にシリンダ錠７の錠軸７ａやカム部材８を覆うように、第２カバー１９が、図９に示す如く、シリンダ取付部１７の背面側に取り付けられる。
【００４２】
このように、基枠体１の支持板３の内側は、第１カバー９と第２カバー１９により、施錠装置の主要部である、ラッチ部材５、作動杆４、ばね部材１２，１５が略完全に覆われ、前扉４１の右側の隙間に近い基枠体１の右側面は支持板３により覆われる。このため、施錠装置を取り付けたゲーム機の使用時、針金等の不正工具を、前扉４１の右側の隙間から差し込まれたとしても、不正工具は施錠装置の主要部に到達せず、隙間から差し込んで行われる不正行為を、防止することができ、セキュリティ性能の高い施錠装置とすることができる。
【００４３】
次に、上記構成のゲーム機の施錠装置の使用態様と動作を説明する。施錠装置は、図１５、図１７に示すように、ゲーム機の前扉４１の内側の自由端側（向かって右側）に、取付板２を介して縦に固定され、筐体４０内の対向位置（右側壁部内面）に縦長の受け具４２が取り付けられる。
【００４４】
受け具４２は、図１５，１６に示す如く、帯板状の取付板の上部寄りと下部寄りに、平面コ字状の軸受部を固定し、その軸受部に軸ピン状の係止部４３を水平横方向に取り付けて構成される。さらに、受け具４２には、係止部４３の下側の上記支持ローラ１６に対応する位置に、滑り板４５が水平に取り付けられ、このような受け具４２は、筐体４０の内壁面に縦に固定される。施錠装置は、前扉４１の内側に縦に取り付けられ、且つシリンダ錠７の鍵口が前扉４１の前面に露出するように取り付けられる。
【００４５】
ゲーム機の筐体４０に対し前扉４１を閉じると、図１５，１６に示すように、施錠装置が受け具４２に対し相対的に移動することにより、係止部４３が相対的に開口部３ａ，９ａ，１１ａ内に進入し、図１８に示す如く、係止部４３がラッチ部材５のロック凹部６内に進入し、ラッチ部材５を押し込む。このとき、ラッチ部材５は、ばね部材１２の付勢力に抗して図１８の時計方向に回動し、ラッチ部材５の下部の凸状円弧部５ａが摺動係止部材１３の凹状円弧部１３ａ上を摺動して回動した後、ラッチ歯部５ｂと係止歯部１３ｂが噛合する状態となる。
【００４６】
つまり、前扉４１の閉鎖開始初期状態では凸状円弧部５ａが摺動係止部材１３の凹状円弧部１３ａ上を摺動して回動し、閉鎖中期になると、図１８に示すように、ラッチ歯部５ｂと係止歯部１３ｂが噛合する。この状態でさらに前扉４１が閉鎖方向に閉じられると、ラッチ部材５の閉鎖方向への回動に伴い、ラッチ歯部５ｂと係止歯部１３ｂの噛合位置が、歯状摺動面１３ｃで摺動して上側に移動し（噛合範囲が上側に拡大し）、図１８に示す如く、摺動係止部材１３がばね部材１５のばね力により段階的に上昇する。
【００４７】
そして、閉鎖最終段階で、ラッチ部材５の回動と摺動係止部材１３の上昇が停止し、このとき、ラッチ部材５の戻り回動は阻止され、前扉４１の閉鎖回動に伴って徐々にロックが進行している。このため、前扉４１は、筐体４０に対し隙間が皆無の状態まで回動して停止した状態となって、ラッチ部材５はロックされ、受け具４２の係止部４３は、ラッチ部材５のロック凹部６に完全に拘束されて、施錠状態となる。
【００４８】
このように、ゲーム機の筐体４０に対し前扉４１を閉鎖する施錠時、受け具４２の係止部４３がラッチ部材５のロック凹部６に進入し、ラッチ歯部５ｂを係止歯部１３ｂに対し摺動係合させながら、ラッチ部材５がばね部材１２のばね力に抗して施錠方向へ回動し、前扉４１の閉鎖完了時、係止歯部１３ｂがラッチ歯部５ｂに噛合係止されて施錠されるので、筐体４０に対し前扉４１をガタツキや隙間なく閉鎖して施錠することができる。
【００４９】
このため、受け具４２やラッチ部材５に寸法公差内の誤差、取付位置の誤差、筐体４０や前扉４１の寸法誤差など、製品ごとの寸法のバラツキがあっても、前扉４１の閉鎖時、ラッチ部材５がラッチ位置まで回動してロック状態になったとき、完全に前扉４１が閉鎖状態となり、前扉４１をガタツキや隙間なく閉鎖して施錠することができる。
【００５０】
一方、解錠する場合、シリンダ錠７に鍵を挿入して右側に回動操作すると、カム部材８が回動し、作動杆４が下に摺動する。つまり、シリンダ錠７の解錠操作時に鍵を右に回すと、カム部材８の係合凸部８ａが下に回動して係合部４ｂと係合し、作動杆４を下降させる。このとき、ラッチユニット１０では、係合部４ａを介して摺動係止部材１３がばね部材１５のばね力に抗して下降する。これにより、摺動係止部材１３の係止歯部１３ｂがラッチ部材５のラッチ歯部５ｂから離れ、ラッチ歯部５ｂと係止歯部１３ｂとの噛合が外れる。このとき、ラッチ部材５は、ばね部材１２のばね力によって、図１８の反時計方向に戻り回動し、図１８の左図のように、受け具４２の係止部４３がラッチ部材５から外れ、解錠されることとなる。
【符号の説明】
【００５１】
１      基枠体
２      取付板
３      支持板
３ａ    開口部
４      作動杆
４ａ    係合部
４ｂ    係合部
５      ラッチ部材
５ａ    凸状円弧部
５ｂ    ラッチ歯部
５ｃ    突起
５ｄ    歯状摺動面
６      ロック凹部
７      シリンダ錠
７ａ    錠軸
７ｂ    フランジ
８      カム部材
８ａ    係合凸部
９      第１カバー
９ａ    開口部
１０    ラッチユニット
１１    ラッチケース
１１ａ  開口部
１１ｂ  ガイド溝
１１ｃ  ガイド部
１１ｄ  ガイド部
１２    ばね部材
１３    摺動係止部材
１３ａ  凹状円弧部
１３ｂ  係止歯部
１３ｃ  歯状摺動面
１３ｄ  係合部
１３ｅ  ガイド凸部
１４    回動軸
１５    ばね部材
１５ａ  掛止部
１６    支持ローラ
１７    シリンダ取付部
１９    第２カバー
２６    固定ネジ
４０    筐体
４１    前扉
４２    受け具
４３    係止部
４５    滑り板
【図１】
0006306538.tif 000002
【図２】
0006306538.tif 000003
【図３】
0006306538.tif 000004
【図４】
0006306538.tif 000005
【図５】
0006306538.tif 000006
【図６】
0006306538.tif 000007
【図７】
0006306538.tif 000008
【図８】
0006306538.tif 000009
【図９】
0006306538.tif 000010
【図１０】
0006306538.tif 000011
【図１１】
0006306538.tif 000012
【図１２】
0006306538.tif 000013
【図１３】
0006306538.tif 000014
【図１４】
0006306538.tif 000015
【図１５】
0006306538.tif 000016
【図１６】
0006306538.tif 000017
【図１７】
0006306538.tif 000018
【図１８】
0006306538.tif 000019